【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
生物学、組織学及び病理学における使用のための画像処理装置であって、
第１のイメージング処理から複数の画像フレームを受信し、第２のイメージング処理から、第１の基準テンプレートとして機能する第１の画像を受信する入力ポートと、
第１のモードと第２のモードとの間で切替え可能な画像マッチャーであって、前記画像マッチャーが前記第１のモードで動作する場合に、前記第１のイメージング処理からの前記複数の画像フレームのうちの画像フレームを、前記第１の基準テンプレートに対してマッチさせることを試み、前記画像フレームの中から、第１の閾値によって前記第１の基準テンプレートにマッチする前記複数の画像フレームのうちの画像フレームとして決定された第１のマッチング画像フレームが見つかると、又は、前記画像フレームのうちの現在の画像フレームに対応するユーザによって発行された切替え信号が受信されると、前記画像マッチャーが前記第２のモードに切替わり、次いでそれぞれ前記第１のマッチング画像フレーム又は前記現在の画像フレームを、前記第１の基準テンプレートの代わりの前記第２のモードにおける第２の基準テンプレートとして使用して、前記複数の画像フレームのうちの後続の画像フレームを前記第２の基準テンプレートに対してマッチさせることを試みる、前記画像マッチャーと、
前記複数の画像フレームのうちの前記後続の画像フレームの中から見つけられ、第２の閾値によって前記第２の基準テンプレートにマッチする前記後続の画像フレームからの画像として決定された更なるマッチング画像フレームを出力する出力ポートと、
を含む、画像処理装置。
【請求項２】
前記第１のモード及び前記第２のモードにおいて試みられるマッチングは、前記第１の基準テンプレート又は前記第２の基準テンプレートにおいて規定される画像特徴を、それぞれ前記画像フレーム及び前記後続の画像フレームにおける画像部に対してマッチさせることを試みることに基づいている、請求項１に記載の画像処理装置。
【請求項３】
前記出力することは、前記画像特徴の輪郭を描く対応するグラフィカルオーバーレイを有する前記更なるマッチング画像フレームの前記画像部を、ディスプレイユニット上で表示することを含む、請求項２に記載の画像処理装置。
【請求項４】
前記出力することは、ディスプレイユニット上で前記更なるマッチング画像フレームを表示し、前記第１のマッチング画像フレームは表示しないことを含む、請求項２に記載の画像処理装置。
【請求項５】
前記第２の基準テンプレートは、前記第１のイメージング処理において使用される第１のイメージングモダリティのイメージング設定が変更されるまで、１つ以上の更なるマッチング試みに対して維持され、前記画像マッチャーは、前記変更に応えて、別のマッチング画像フレームを第３の基準テンプレートとして使用して、前記複数の画像フレームのうちの追加の後続の画像フレームを、前記第２の基準テンプレートの代わりの前記第３の基準テンプレートに対してマッチさせることを試み、前記出力ポートが、前記第３の基準テンプレートにマッチするものとして決定した更なるマッチング画像フレームを出力する、請求項１に記載の画像処理装置。
【請求項６】
前記第１のイメージング処理は、第１のイメージングモダリティを使用することを含み、前記第１のイメージングモダリティは、顕微鏡カメラシステムである、請求項１に記載の画像処理装置。
【請求項７】
前記第２のイメージング処理は、第２のイメージングモダリティを使用することを含み、前記第２のイメージングモダリティは、病理学的スライドスキャナである、請求項１に記載の画像処理装置。
【請求項８】
前記複数の画像フレームは、１つ以上の組織学的セクションから取得される、請求項１に記載の画像処理装置。
【請求項９】
前記第１の画像は、スライドとカバーガラスとの間に保持される組織学的セクションから取得され、前記複数の画像フレームは、カバーガラスのない異なる組織学的セクションから取得される、請求項８に記載の画像処理装置。
【請求項１０】
前記組織学的セクション及び前記異なる組織学的セクションは、同じ試料から採取される、請求項８に記載の画像処理装置。
【請求項１１】
前記更なるマッチング画像フレームの座標が、分子診断装置に供給され、前記第１のマッチング画像フレームの関心領域に対応する材料が前記異なる組織学的セクションから取り除かれる、請求項９に記載の画像処理装置。
【請求項１２】
前記複数の画像フレームは、手動で又は自動的に供給される、請求項１１に記載の画像処理装置。
【請求項１３】
生物学、組織学及び病理学のうちの少なくとも１つにおける使用のための画像処理方法であって、
第１のイメージング処理から画像フレームのストリームを受信するステップと、
第１のモードにおいて、前記画像フレームのストリームにおける画像フレームを、第２のイメージング処理からの第１の基準テンプレートとして機能する第１の画像に対してマッチさせることを試みて、前記画像フレームのストリームにおける前記画像フレームの中からマッチング画像フレームを見つけるステップと、
前記マッチング画像フレームが見つかると、又は、前記画像フレームのストリームにおける現在の画像フレームに対応する切替え信号が受信されると、第２のモードに切替わるステップと、
前記第２のモードにおいて、それぞれ前記マッチング画像フレーム又は前記現在の画像フレームを、前記第１の基準テンプレートの代わりの第２の基準テンプレートとして使用し、前記画像フレームのストリームにおける更なる画像フレームを前記第２の基準テンプレートに対してマッチさせることを試みて、前記画像フレームのストリームにおける前記更なる画像フレームの中から更なるマッチング画像フレームを見つけるステップと、
前記更なるマッチング画像フレームが見つかると、前記更なるマッチング画像フレームを出力するステップと、
を含む、画像処理方法。
【請求項１４】
生物学、組織学及び病理学のうちの少なくとも１つにおける画像処理を提供するための、処理ユニットによって実行可能なコンピュータプログラムを記憶した非一時的コンピュータ可読媒体であって、
第１のイメージング処理から画像フレームのストリームを受信するための受信コードと、
第１のモードにおいて、前記画像フレームのストリームにおける画像フレームを、第２のイメージング処理から提供され、第１の基準テンプレートとして機能する第１の画像に対してマッチさせることを試みるための第１のマッチングコードと、
前記画像フレームのストリームにおける前記画像フレームの中からマッチング画像フレームが見つかると、又は、前記画像フレームのストリームにおける現在の画像フレームに対応する切替え信号が受信されると、第２のモードに切替えるための切替えコードと、
前記第２のモードにおいて、それぞれ前記マッチング画像フレーム又は前記現在の画像フレームを、前記第１の基準テンプレートの代わりの第２の基準テンプレートとして使用して、前記画像フレームのストリームにおける後続の画像フレームをマッチさせることを試みるための第２のマッチングコードと、
前記画像フレームのストリームにおける前記後続の画像フレームの中から更なるマッチング画像フレームが見つかると、前記更なるマッチング画像フレームを出力するための出力コードと、
を含む、非一時的コンピュータ可読媒体。